(57)【要約】【課題】  ユーザビリティを向上した画面を用いて、効率的に資金移動を行なうことができる送金処理支援プログラムを提供する。【解決手段】  アカウントアグリゲーションシステム２０は、預金口座残高やクレジットカードの利用金額を表示するための口座情報一覧画面データを利用者端末１０に送信する。この口座情報一覧画面データには、各預金口座等の属性データを保持させ、アイコンを表示させるためのオブジェクトデータを含める。そして、利用者端末１０のマウスを用いて特定のアイコンオブジェクトが選択された場合、このアイコンオブジェクトに基づいて送金元口座を特定する。更に、送金元口座として選択したアイコンオブジェクトをドラッグし、ドロップされたアイコンオブジェクトに基づいて送金先口座を特定する。サブウィンドウ画面に表示されたテンキーパッドを用いて振込金額、暗証番号の入力を完了する。【選択図】      図１
2006277686.tif 000002
【特許請求の範囲】
【請求項１】
画面上において移動可能で特定領域を指定する指示手段を制御するコンピュータを用いて口座間の資金移動処理を実行するためのプログラムであって、
前記コンピュータを、
資金移動を行なう金額を特定する金額特定手段と
前記画面に、口座毎に口座識別子に関連づけられた表示オブジェクトを表示させる出力手段と、
この表示オブジェクトの中で前記指示手段により第１の表示オブジェクトが選択された場合、この第１の表示オブジェクトに関連づけられた預金口座識別子を取得し、送金元口座識別子として記録する送金元特定手段と、
前記指示手段を用いて前記第１の表示オブジェクトをホールドして移動させ、第２の表示オブジェクト上でリリースされた場合、この第２の表示オブジェクトに関連づけられた預金口座識別子を取得し、送金先口座識別子として記録する送金先特定手段と、
前記送金元口座識別子の口座から、前記送金先口座識別子の口座に、前記金額特定手段により特定された金額を移動させるための資金移動処理を実行する資金移動処理手段
として機能させることを特徴とする送金処理支援プログラム。
【請求項２】
前記出力手段は、この利用者の預金口座毎に口座残高に関するデータを取得し、この口座残高に対応させた所定面積の残高表示を生成して表示し、
前記金額特定手段は、前記残高表示に対して、前記指示手段により選択された領域に応じて金額を特定することを特徴とする請求項１に記載の送金処理支援プログラム。
【請求項３】
前記表示オブジェクトには、支払金額に関するデータが関連づけられた債務表示オブジェクトが含まれ、
前記指示手段により選択された第２の表示オブジェクトが債務表示オブジェクトである場合、前記金額特定手段は、前記債務表示オブジェクトに関連付けられた支払金額に関するデータを取得することを特徴とする請求項１又は２に記載の送金処理支援プログラム。
【請求項４】
前記第２の表示オブジェクトには、請求者システムから受信した請求書を表示する請求書表示オブジェクトが含まれ、
前記指示手段により選択された第２の表示オブジェクトが請求書表示オブジェクトである場合、前記金額特定手段は前記請求書表示オブジェクトに表示された請求金額を抽出し、前記送金先特定手段は前記請求書表示オブジェクトに表示された口座識別子を送金先口座識別子として抽出することを特徴とする請求項１〜３のいずれか一つに記載の送金処理支援プログラム。
【請求項５】
前記請求書表示オブジェクトは、請求者システムから受信した電子メールであることを特徴とする請求項４に記載の送金処理支援プログラム。
【発明の詳細な説明】
【技術分野】
【０００１】
本発明は、口座管理を実行するための技術に係り、詳しくはネットバンキングを利用して資金移動を実行するための送金処理支援プログラムに関する。
【背景技術】
【０００２】
今日、インターネットを介して各種バンキングサービスを利用することができるようになりつつある。例えば、クレジット決済口座の残高が不足している場合、インターネット上で、クレジット決済口座の残高についての情報を配信し、不足分を振込や振替を行なうための技術が開示されている（例えば、特許文献１参照。）。この特許文献１においては、サービス・システムがクレジットカード会社端末からの口座振替データを受け取り、口座振替データ処理部が、クレジット決済口座の残高が今月分引落金額よりも少ないと判定すると、メール編集処理部が、「残高不足分」のデータを含んだ通知書を作成し、インターネットを介して利用者端末に配信する。利用者が電子メールを開封し、通知書に組み込まれた「自動振込・振替ボタン」をクリックすると、振込・振替処理部が、振込・振替画面を利用者端末に送信する。対話的に自動振込・振替の申込がなされ、振込・振替元口座からクレジット決済口座への不足分の振込・振替の処理が実行される。これにより、利用者の口座管理の負担を軽減することができる。
【０００３】
また、利用者が資産管理を行なうために、インターネットを介して利用者に関する金融情報を収集し、利用者に提供するアカウント・アグリゲーションサービスも展開されている。ここで、アカウント・アグリゲーションサービスにおいては、まず、利用者に、複数の機関（銀行、証券会社、クレジットカード会社等）が提供するインターネットサービスのログインＩＤやパスワード等を予め登録してもらう。そして、このＩＤやパスワードを用いて複数の機関の情報（金融機関の資産情報等）を取得し、インターネット上で一覧表示できるようにするサービスである（例えば、特許文献２参照。）。この技術により、インターネットバンキングで取得できる金融機関毎の口座決済情報を用いて、利用者の資産管理を一括して行えるようになる。
【特許文献１】特開２００２−７３９９９号公報（図２）
【特許文献２】特開２００１−３０６８０４号公報（図１）
【発明の開示】
【発明が解決しようとする課題】
【０００４】
しかし、アカウント・アグリゲーションサービスを利用した場合においても、資金移動の手続は煩雑である。特に、預金口座から、他の預金口座への振込みを行なう場合、送金元の預金口座を特定し、更に送金先の預金口座を特定する必要があり、その入力が煩雑である。
【０００５】
更に、アカウント・アグリゲーションサービスを利用している場合にも、ネットワークを介して口座振込を行なうためには、利用者は各金融機関のサイトにアクセスして資金移動の指示を行わなければならない。
【０００６】
本発明は、上記問題点を解決するためになされたものであり、その目的は、利用者のユーザビリティを向上させながら、効率的に資金移動を行なうことができる送金処理支援プログラムを提供することにある。
【課題を解決するための手段】
【０００７】
上記問題点を解決するために、請求項１に記載の発明は、画面上において移動可能で特
定領域を指定する指示手段を制御するコンピュータを用いて口座間の資金移動処理を実行するためのプログラムであって、前記コンピュータを、資金移動を行なう金額を特定する金額特定手段と前記画面に、口座毎に口座識別子に関連づけられた表示オブジェクトを表示させる出力手段と、この表示オブジェクトの中で前記指示手段により第１の表示オブジェクトが選択された場合、この第１の表示オブジェクトに関連づけられた預金口座識別子を取得し、送金元口座識別子として記録する送金元特定手段と、前記指示手段を用いて前記第１の表示オブジェクトをホールドして移動させ、第２の表示オブジェクト上でリリースされた場合、この第２の表示オブジェクトに関連づけられた預金口座識別子を取得し、送金先口座識別子として記録する送金先特定手段と、前記送金元口座識別子の口座から、前記送金先口座識別子の口座に、前記金額特定手段により特定された金額を移動させるための資金移動処理を実行する資金移動処理手段として機能させることを要旨とする。
【０００８】
請求項２に記載の発明は、請求項１に記載の送金処理支援プログラムにおいて、前記出力手段は、この利用者の預金口座毎に口座残高に関するデータを取得し、この口座残高に対応させた所定面積の残高表示を生成して表示し、前記金額特定手段は、前記残高表示に対して、前記指示手段により選択された領域に応じて金額を特定することを要旨とする。
【０００９】
請求項３に記載の発明は、請求項１又は２に記載の送金処理支援プログラムにおいて、前記表示オブジェクトには、支払金額に関するデータが関連づけられた債務表示オブジェクトが含まれ、前記指示手段により選択された第２の表示オブジェクトが債務表示オブジェクトである場合、前記金額特定手段は、前記債務表示オブジェクトに関連付けられた支払金額に関するデータを取得することを要旨とする。
【００１０】
請求項４に記載の発明は、請求項１〜３のいずれか一つに記載の送金処理支援プログラムにおいて、前記第２の表示オブジェクトには、請求者システムから受信した請求書を表示する請求書表示オブジェクトが含まれ、前記指示手段により選択された第２の表示オブジェクトが請求書表示オブジェクトである場合、前記金額特定手段は前記請求書表示オブジェクトに表示された請求金額を抽出し、前記送金先特定手段は前記請求書表示オブジェクトに表示された口座識別子を送金先口座識別子として抽出することを要旨とする。
【００１１】
請求項５に記載の発明は、請求項４に記載の送金処理支援プログラムにおいて、前記請求書表示オブジェクトは、請求者システムから受信した電子メールであることを要旨とする。
【００１２】
（作用）
請求項１の発明によれば、指示手段により第１の表示オブジェクトが選択された場合、この表示オブジェクトに関連づけられた預金口座識別子を取得し、送金元口座識別子として記録する。そして、指示手段を用いて第１の表示オブジェクトをホールドして移動させ、第２の表示オブジェクト上でリリースされた場合、この第２の表示オブジェクトに関連づけられた預金口座識別子を取得し、送金先口座識別子として記録する。このため、ドラッグ＆ドロップにより送金元や送金先の口座を特定することができる。従って、視覚的なユーザビリティを向上させながら効率的に資金移動処理を行なうことができる。
【００１３】
請求項２の発明によれば、利用者の預金口座毎に口座残高に関するデータを取得し、この口座残高に対応させた所定面積の残高表示を生成して表示する。そして、残高表示に対して、指示手段により選択された領域に応じて金額を特定することも可能である。このため、効率的に送金金額を特定することができ、ユーザビリティを向上させることができる。
【００１４】
請求項３の発明によれば、債務表示オブジェクトには、支払金額に関するデータが関連
づけられている。そして、第２の表示オブジェクトとして債務表示オブジェクトが選択された場合、金額特定手段は、この債務表示オブジェクトに関連付けられた支払金額を特定することも可能である。このため、効率的に送金金額を特定することができ、ユーザビリティを向上させることができる。
【００１５】
請求項４の発明によれば、請求者システムから受信した請求書を表示する請求書表示オブジェクトには、請求金額や請求者の口座識別子に関するデータを含む。そして、金額特定手段は請求書表示オブジェクトに表示された請求金額を抽出することも可能である。更に、送金先特定手段は請求書表示オブジェクトに表示された口座識別子を送金先口座識別子として抽出する。このため、効率的に送金先口座や送金金額を特定することができ、ユーザビリティを向上させることができる。
【００１６】
請求項５の発明によれば、請求書表示オブジェクトとして、請求者システムから受信した電子メールを用いることも可能である。請求者から、請求書を電子メールで受信する場合があるが、この電子メールを用いて、効率的に送金先口座や送金金額を特定することができ、ユーザビリティを向上させることができる。
【発明の効果】
【００１７】
本発明によれば、利用者は、ユーザビリティを向上した画面を用いて、効率的に資金移動を行なうことができる。
【発明を実施するための最良の形態】
【００１８】
（第１の実施形態）
以下、本発明を具体化した一実施形態を、図１〜図１３に従って説明する。本実施形態では、複数の金融機関に預金口座を保有するネットバンキングサービスの利用者が口座振込により送金を行なう場合に用いる送金処理支援プログラムとして説明する。このネットバンキングサービスの提供には、アカウントアグリゲーションシステム２０を用いる。
【００１９】
図１に示すように、アカウントアグリゲーションシステム２０はネットワークとしてのインターネットＩを介して利用者端末１０や金融機関サーバシステム４０に接続されている。この金融機関には、各種銀行、証券会社やクレジットカード会社等も含まれる。
【００２０】
このアカウントアグリゲーションシステム２０は、利用者等からの要求に応じて口座情報を提供するアカウント・アグリゲーションサービスを提供するためのコンピュータシステムである。アカウントアグリゲーションシステム２０では、アグリゲーションサービスを提供するため、利用者が保有する預金口座情報やクレジット利用情報を取得するためのデータを管理する。そして、アカウントアグリゲーションシステム２０は、利用者端末１０から口座情報の要求があった場合、金融機関サーバシステム４０にアクセスし、各種情報を取得し、インターネットＩを介して利用者端末１０に一括して提供する。
【００２１】
図１に示すように、アカウントアグリゲーションシステム２０は管理コンピュータ２１を備えている。管理コンピュータ２１は、図示しない制御手段（ＣＰＵ）、記憶手段（ＲＡＭ、ＲＯＭ、ハードディスク等）やデータ送受信手段等を有する。この管理コンピュータ２１は、口座情報の管理に関して後述する処理を実行する。
【００２２】
管理コンピュータ２１には、利用者データ記憶部２２、利用口座管理データ記憶部２３及びアドレスデータ記憶部２４がそれぞれ接続されている。
利用者データ記憶部２２には、図２に示すように、アカウント・アグリゲーションサービスを利用する利用者に関して利用者データ２２０が記録されている。この利用者データ２２０は、利用者からアカウント・アグリゲーションサービスの利用依頼があった場合に
設定される。本実施形態では、利用者データ２２０には、利用者毎に、利用者識別子、ＩＤ、ログインパスワード、預金口座識別子、クレジットカード識別子及び商店識別子に関するデータが記録される。
【００２３】
利用者識別子データ領域には、アカウント・アグリゲーションサービスの利用者を特定するための識別子に関するデータが記録される。この利用者識別子を用いることにより、他のデータ記憶部に登録された口座名義人の名前、住所等の各種属性情報を抽出することができる。
【００２４】
ＩＤデータ領域やログインパスワードデータ領域には、アカウント・アグリゲーションサービスを提供する場合のユーザ認証に用いるＩＤやパスワードに関するデータがそれぞれ記録されている。具体的には、利用者がインターネットＩを介してアカウントアグリゲーションシステム２０にアクセスしてきた場合の認証に用いられる。
【００２５】
預金口座識別子データ領域には、アカウント・アグリゲーションサービスの対象の預金口座を特定するための識別子に関するデータが記録される。本実施形態では、預金口座識別子は、本支店コード、預金種目コード及び口座番号に関するデータを含んで構成される。
クレジットカード識別子データ領域には、アカウント・アグリゲーションサービスの対象のクレジットカードを特定するための識別子に関するデータが記録される。
【００２６】
商店識別子データ領域には、この利用者が利用する商店を特定するための識別子に関するデータが記録される。本アプリケーションプログラムを用いて支払を行なった場合、管理コンピュータ２１は、利用者に対してアイコン表示の要否確認を行なう。そして、アイコン表示要求が行なわれた場合、管理コンピュータ２１は、この商店識別子データ領域に、アイコン表示要求のあった商店識別子を追加する。
【００２７】
利用口座管理データ記憶部２３には、図３に示すように、本サービスにおいて利用される口座に関する利用口座管理データ２３０が記録されている。この利用口座管理データ２３０は、利用者口座管理データ２３１、クレジットカード支払口座管理データ２３２、商店口座データ２３３を含む。この利用者口座管理データ２３１やクレジットカード支払口座管理データ２３２は、利用者からアカウント・アグリゲーションサービスの利用依頼があった場合に設定される。また、商店口座データ２３３は、利用する商店が新たに登録された場合に設定される。
【００２８】
利用者口座管理データ２３１は、利用者識別子、預金口座識別子及びバンキングパスワードに関するデータを含む。利用者識別子データ領域には、この預金口座の保有者である利用者を特定するための識別子に関するデータが記録される。預金口座識別子データ領域には、この利用者の預金口座を特定するための識別子に関するデータが記録される。バンキングパスワードデータ領域には、金融機関サーバシステム４０にアクセスして、口座情報を取得する場合に用いるパスワードに関するデータが記録される。
【００２９】
クレジットカード支払口座管理データ２３２は、利用者識別子、クレジットカード識別子、アクセスコード及び口座識別子に関するデータを含む。利用者識別子データ領域には、このクレジットカードの保有者である利用者を特定するための識別子に関するデータが記録される。クレジットカード識別子データ領域には、この利用者のクレジットカードを特定するための識別子に関するデータが記録される。アクセスパスワードデータ領域には、金融機関サーバシステム４０にアクセスして、クレジットカードの利用情報を取得する場合に用いるパスワードに関するデータが記録される。口座識別子データ領域には、この利用者のクレジットカードの利用金額を支払う場合に用いる口座を特定するためのデータ
が記録される。
【００３０】
商店口座データ２３３は、利用者識別子、商店識別子及び口座識別子に関するデータを含む。利用者識別子データ領域には、この商店を利用する利用者を特定するための識別子に関するデータが記録される。商店識別子データ領域には、この商店を特定するための識別子に関するデータが記録される。口座識別子データ領域には、この商店に支払を行なう場合に用いる支払先口座に関するデータが記録される。
【００３１】
アドレスデータ記憶部２４には、図４に示すように、金融機関サーバシステム４０にアクセスする場合に用いるアドレスデータ２４０が記録されている。このアドレスデータ２４０は、金融機関サーバシステム４０のアドレスデータを取得した場合に記録される。本実施形態では、アドレスデータ２４０には、金融機関毎に、金融機関識別子及びＩＰアドレスが、相互に関連づけられて記録される。
【００３２】
金融機関識別子データ領域には、金融機関を特定するための識別子に関するデータが記録される。この金融機関には、各種銀行、証券会社やクレジットカード会社等も含まれる。
【００３３】
ＩＰアドレスデータ領域には、この金融機関のアドレスを特定するための識別子に関するデータが記録される。本実施形態では、識別子としてＩＰアドレスを用いる。このＩＰアドレスは、インターネットＩを介して金融機関に対して各種要求を行なう場合に、要求先のサーバコンピュータを特定するための識別子である。
【００３４】
アカウントアグリゲーションシステム２０は、図１に示すように、金融機関サーバシステム４０に接続されている。金融機関サーバシステム４０は、金融機関において利用者に提供する各種データを管理するホストコンピュータシステムである。例えば、銀行の金融機関サーバシステム４０は、預金口座データ記憶部を備える。この預金口座データ記憶部には、預金口座毎に、預金口座識別子、利用者識別子、バンキングパスワード及び口座残高に関するデータが相互に関連づけられて記録される。そして、この金融機関サーバシステム４０にアクセスすることにより、預金口座に関しての入出金情報や残高情報等を取得することができる。
【００３５】
更に、アカウントアグリゲーションシステム２０に、インターネットＩを介して接続される利用者端末１０は、利用者がアカウントアグリゲーションシステム２０から口座情報を要求する場合や、受信した口座情報を表示させる場合に用いられるコンピュータ端末である。図５に示すように、利用者端末１０は、制御手段としてのＣＰＵ（Central Processing Unit ）１１、記憶手段としてのＲＡＭ（Read Only Memory）１２、ＲＯＭ（Random
Access Memory）１３を備える。
【００３６】
更に、ＣＰＵ１１は、バスラインを介して、表示手段としてのディスプレイ１５、入力手段としてのキーボード１６、マウス１７、記憶手段としてのハードディスク装置１８、や通信手段としての通信インターフェース１９に接続される。
【００３７】
ハードディスク装置１８には、本発明の特許請求の範囲の送金処理支援プログラムなどが格納され、このプログラムがＣＰＵ１１によって実行されることにより、本実施形態における手順を実行する。これにより、ＣＰＵ１１は、出力手段、金額特定手段、送金元特定手段、送金先特定手段、資金移動処理手段の各手段として機能する。
【００３８】
ＲＯＭ１３は、利用者端末１０を機能させるための基本的なプログラムやパラメータなどが記憶された読み取り専用メモリである。ＲＡＭ１２は、ＣＰＵ１１が各種の処理を行
う上で必要なプログラムやデータを記憶するメモリである。
【００３９】
ディスプレイ１５は、アカウントアグリゲーションシステム２０からダウンロードした各種画面を表示したり、キーボードなどから入力した結果などを表示したりする。
キーボード１６は、文字データ等を入力するための各種キー操作を行なうための入力手段である。マウス１７は、ポインティングデバイスであり、ディスプレイ上に表示されたアイコンやボタンなどの特定領域を指定してクリックするためにポインタを移動させたり、クリックしたりする場合に用いる。
【００４０】
次に、上記のように構成されたアカウントアグリゲーションシステム２０や利用者端末１０を用いて資金移動を行なう場合の処理を説明する。ここでは、まず、ＣＰＵ１１、ＲＡＭ１２において実現される機能ブロックを、図６に従って説明する。
【００４１】
ＣＰＵ１１は、ディスプレイ１５上で、指示手段としてのポインタを制御するポインティングデバイス制御部１１ａとして機能する。このポインティングデバイス制御部１１ａは、ポインタ位置制御部とクリック制御部とから構成される。このポインタ位置制御部は、ディスプレイ上に表示されたポインタの位置を制御する。クリックが行なわれた場合、ポインタ位置制御部により特定されたポインタの位置とオブジェクト表示領域との関係において、クリック制御部の処理が異なる。具体的には、まず、オブジェクト表示領域内においてクリックされた場合、このオブジェクトをアクティブにする。そして、後述するように、ポインティングデバイス制御部１１ａの処理によって、ＲＡＭ１２内に設けられた送金元口座メモリ１２ａ、送金先口座メモリ１２ｂ、金額メモリ１２ｃに各データを格納する。
【００４２】
更に、本実施形態では、後述するように、ＣＰＵ１１は、金額特定手段としてのテンキー入力制御部１１ｂとして機能し、各種数字の入力を受け入れる。本実施形態では、テンキー入力制御部１１ｂにより金額や暗証番号の入力を受け入れる。
【００４３】
更に、ＣＰＵ１１は、資金移動処理手段としての振込制御部１１ｃとして機能する。この振込制御部１１ｃは、各メモリ（１２ａ〜１２ｃ）に格納された送金元口座、送金先口座、金額に関するデータに基づいて口座振込処理を実行する。
【００４４】
次に、各機能ブロックを用いての処理手順を図７に従って説明する。
まず、利用者端末１０は、利用者の口座残高に関するデータを取得する（ステップＳ１−１）。具体的には、利用者は、利用者端末１０のアプリケーションプログラムを起動し、アカウントアグリゲーションシステム２０へのアクセスを行なう。この場合、利用者端末１０は、アカウントアグリゲーションシステム２０から提供されたログイン画面をディスプレイ１５に出力する。利用者により、このログイン画面にユーザＩＤとログインパスワードが入力された場合、利用者端末１０はログイン要求を送信する。このログイン要求には、ユーザＩＤとログインパスワードに関するデータを含む。
【００４５】
ログイン要求を受信したアカウントアグリゲーションシステム２０の管理コンピュータ２１は、利用者データ記憶部２２に記録されているＩＤとログインパスワードを用いてユーザ認証を行なう。
【００４６】
ユーザ認証を完了した場合、管理コンピュータ２１は、利用者データ記憶部２２に記録された利用者データ２２０を用いて預金口座識別子を特定し、この預金口座識別子に基づいて金融機関を特定する。次に、管理コンピュータ２１は、この金融機関の金融機関サーバシステム４０のＩＰアドレスを、アドレスデータ記憶部２４から抽出する。
【００４７】
そして、このＩＰアドレスを用いて、金融機関サーバシステム４０へのログイン処理を実行する。この場合、管理コンピュータ２１は、この利用者の金融機関毎にバンキングパスワードを利用口座管理データ記憶部２３から取得し、このバンキングパスワードを用いて各金融機関サーバシステム４０にアクセスする。そして、各金融機関サーバシステム４０から、この利用者が保有する預金口座の口座残高に関するデータを取得する。
【００４８】
また、利用者がクレジットカードを保有する場合には、管理コンピュータ２１は、利用者データ記憶部２２に記録された利用者データ２２０を用いてクレジットカード識別子を特定する。そして、管理コンピュータ２１は、このクレジットカード会社の金融機関サーバシステム４０にアクセスし、この利用者のクレジットカードの利用金額（債務）に関するデータを取得する。
【００４９】
更に、この利用者が利用する商店を、利用者データ記憶部２２に記録された利用者データ２２０を用いて特定する。
そして、アカウントアグリゲーションシステム２０の管理コンピュータ２１は、預金口座残高やクレジットカードの利用金額を表示するための口座情報一覧画面データを構成し、利用者端末１０に送信する。この口座情報一覧画面データには、後述するように、各預金口座、クレジットカード、商店等の属性データを保持させ、アイコンを表示させるための表示オブジェクトを含める。
【００５０】
この口座情報一覧画面データを受信した利用者端末のディスプレイ１５には、図８に示す表示画面５００が出力される（ステップＳ１−２）。この表示画面５００には、各金融機関の預金口座毎に、アイコンオブジェクト５０１が表示される。各アイコンオブジェクト５０１は、属性情報として、この金融機関の預金口座識別子に関するデータと、金融機関サーバシステム４０から取得した口座残高に関するデータを保持する。更に、この預金口座識別子や口座残高は、各アイコンオブジェクト５０１上に表示される。
【００５１】
また、この表示画面５００には、クレジットカード会社に関連するアイコンオブジェクト５０２が表示される。このアイコンオブジェクト５０２は債務表示オブジェクトとして機能し、クレジットカード会社の利用金額の引落口座識別子や、このクレジットカード会社の金融機関サーバシステム４０から取得したクレジット利用金額（債務）に関するデータを保持する。このクレジットカード会社名やクレジット利用金額についてもアイコンオブジェクト５０２上に表示される。
【００５２】
また、この表示画面５００には、利用者が支払を行なう商店等に関するアイコンオブジェクト５０３も出力される。
これらのアイコンオブジェクト（５０１、５０２、５０３）は、表示画面５００上に出力され、マウス１７を利用して操作するポインタ５０５を用いて選択（クリック）することができる。
【００５３】
次に、このようなアイコンオブジェクト５０１を用いて送金元口座を特定する処理を説明する（ステップＳ１−３）。待機状態において送金元口座を指定する場合、図９に示すように、マウス１７を用いてポインタ５０５を、特定のアイコンオブジェクト５０１上まで移動させる。
【００５４】
そして、利用者端末１０のＣＰＵ１１は、選択されたアイコンに基づいて送金元口座を特定する。具体的には、ＣＰＵ１１におけるポインティングデバイス制御部１１ａのクリック制御部がクリックを検知した場合、ポインタ位置制御部によりポインタ５０５の位置を特定し、選択されたアイコンオブジェクト５１０を特定する。この場合、図６に示すように、ＣＰＵ１１は、選択されたアイコンオブジェクト５１０に保持された口座識別子に
関するデータを、ＲＡＭ１２の送金元口座メモリ１２ａに格納する。これにより、ＣＰＵ１１は、送金元特定手段として機能する。
【００５５】
次に、利用者端末１０は、送金先口座を特定するための処理を実行する。ここでは、送金元口座として選択したアイコンオブジェクト５１０を、マウス１７によりホールド（クリック状態を保持）しながら移動させる（ドラッグ）。アイコンオブジェクト５１０がホールドされている場合、図１０に示すように、ディスプレイ１５には、このアイコンオブジェクト５１０の半透明オブジェクト５２１が生成され、ポインタ５０５とともに移動する。半透明オブジェクト５２１がリリースされるまで（ステップＳ１−４において「ＮＯ」）は、ＣＰＵ１１は、半透明オブジェクト５２１の移動表示（ドラッグ）処理を行なう（ステップＳ１−５）。
【００５６】
そして、ＣＰＵ１１におけるポインティングデバイス制御部１１ａのクリック制御部が半透明オブジェクト５２１のリリースを検知した場合（ステップＳ１−４において「ＹＥＳ」の場合）、ポインタ位置制御部はリリース位置を特定し、他の口座に関するアイコンオブジェクト５０１内かどうかを判断する（ステップＳ１−６）。この判断はオブジェクトの属性に基いて行なわれる。
【００５７】
半透明オブジェクト５２１のリリース位置が、他の預金口座に関するアイコンオブジェクト５０１上ではない場合（ステップＳ１−６において「ＮＯ」の場合）には、ＣＰＵ１１は送金元口座メモリ１２ａをリセットする。この結果、送金元口座の特定からやり直すことになる。
【００５８】
一方、図１１に示すように、半透明オブジェクト５２１のリリース位置が、他の預金口座に関するアイコンオブジェクト５３１上である場合（ステップＳ１−６において「ＹＥＳ」の場合）、このリリース位置にあるアイコンオブジェクト５３１に保持された口座識別子を送金先口座として特定する（ステップＳ１−７）。そして、図６に示すように、ＣＰＵ１１は、リリース位置にあるアイコンオブジェクト５３１に保持された口座識別子に関するデータを、ＲＡＭ１２の送金先口座メモリ１２ｂに格納する。
【００５９】
そして、ＣＰＵ１１は、送金する金額の特定処理を行なう（ステップＳ１−８）。ここでは、まず、仮の送金金額として、送金元の口座残高に関するデータをＲＡＭ１２の金額メモリ１２ｃに格納する。
【００６０】
そして、利用者端末１０のＣＰＵ１１は、振込確認画面５４０をディスプレイ１５に出力する（ステップＳ１−９）。ここでは、ＣＰＵ１１の振込制御部１１ｃは、ＲＡＭ１２の送金元口座メモリ１２ａに格納された送金元口座と、送金先口座メモリ１２ｂに格納された送金先口座、金額メモリ１２ｃに格納された金額を抽出し、図１２に示すように、これらのデータを含めた振込確認画面５４０を出力する。この振込確認画面５４０は振込処理を行なうためのサブウィンドウ画面であり、テンキーパッド５４１を備える。このテンキーパッド５４１を用いる場合、まずポインタ５０５を用いて、入力を希望するエリアをアクティブにする。この場合、このエリアにカーソルが表示される。そして、テンキーパッド５４１のキーを、ポインタ５０５を用いてクリックすることにより、所定の数字を入力することができる。まず、図１２に示すように、移動させる金額を変更する。そして、図１３に示すように、ネットワーク決済を行なうために用いる暗証番号を入力する。これにより、振込処理に必要な送金元口座、送金先口座、振込金額、暗証番号の入力を完了する。
【００６１】
そして、各データの入力を完了し、実行ボタンがクリックされた場合、利用者端末１０の振込制御部１１ｃは、振込指示を金融機関サーバシステム４０に送信する（ステップＳ
１−１０）。この振込指示には、振込確認画面５４０において設定された送金元口座識別子、送金先口座識別子、送金金額、暗証番号に関するデータが含まれる。本実施形態では、アカウントアグリゲーションシステム２０を経由して、金融機関サーバシステム４０に送信される。振込指示を受信した金融機関サーバシステム４０は、この指示に含まれるデータに基づいて振込処理を実行する。以上により振込処理を完了する。
【００６２】
以上、本実施形態によれば、以下に示す効果を得ることができる。
・  上記実施形態では、待機状態において、ＣＰＵ１１におけるポインティングデバイス制御部１１ａのクリック制御部がクリックを検知した場合、ポインタ位置制御部によりポインタ５０５の位置を特定し、選択されたアイコンオブジェクト５１０を特定する。そして、選択されたアイコンオブジェクト５１０に保持された口座識別子に関するデータを、ＲＡＭ１２の送金元口座メモリ１２ａに格納する。そして、送金元口座として選択したアイコンオブジェクト５１０を、マウス１７によりホールドしながら移動させる。半透明オブジェクト５２１のリリース位置が、他の預金口座に関するアイコンオブジェクト５３１上である場合、このリリース位置にあるアイコンオブジェクト５３１に保持された口座識別子を用いて送金先口座として特定する（ステップＳ１−７）。そして、ＣＰＵ１１は、リリース位置にあるアイコンオブジェクト５３１に保持された口座識別子に関するデータを、ＲＡＭ１２の送金先口座メモリ１２ｂに格納する。これにより、送金元口座、送金先口座を特定することができる。そしてドラッグ＆ドロップを用いて、資金を口座から他の口座に移動させるというように、利用者のイメージ通りに資金移動を行なうことができ、ユーザビリティの向上を図ることができる。
【００６３】
・  上記実施形態では、振込確認画面５４０にはテンキーパッド５４１を備える。ディスプレイ１５に出力されたテンキーパッド５４１を用いて、振込金額、暗証番号の入力を行なうことができる。これにより、利用者はディスプレイ１５を閲覧して操作するだけで振込処理を行なうことができる。従って、利便性の高いユーザインターフェースを実現することができる。
【００６４】
（第２の実施形態）
次に、本発明を具体化した送金処理支援方法の第２の実施形態を図１４〜図１７にしたがって説明する。なお、第２の実施形態は、第１の実施形態の振込金額の特定方法を変更した構成であるため、同様の部分についてはその詳細な説明を省略する。
【００６５】
この第２の実施形態では、ステップＳ１−２において、預金口座残高を出力する場合、図１４に示す表示画面５６０のように、口座残高に対応させた残高表示として金額単位表示５６１を用いて、預金口座残高を複数のアイコンオブジェクトに展開して出力させる。ここでは、５万円を超える場合には５万円単位表示、それ以下の場合には１万円単位表示を、各預金口座の口座残高に対応させて出力する。これらの単位表示もアイコンオブジェクトとして機能する。
【００６６】
そして、ステップＳ１−３において送金元口座を特定する場合には、図１５に示すように、ポインタ５０５がクリックされてからリリースされるまでの囲み領域５７１により特定する。この場合、囲み領域５７１によって、この中に含まれる金額単位表示５６１がアクティブになる。そして、ＣＰＵ１１は、囲み領域５７１によって特定される金額をＲＡＭ１２の金額メモリ１２ｃに格納する。更に、アクティブになった囲み領域５７１をホールドして移動させる。この場合、図１６に示すように、この囲み領域５７１の金額単位表示に基づいて半透明オブジェクト５８０が生成される。
【００６７】
そして、半透明オブジェクト５８０のリリース位置が、他の預金口座に関するアイコンオブジェクト５３１上である場合（ステップＳ１−６において「ＹＥＳ」の場合）、この
リリース位置にあるアイコンオブジェクト５３１に関連付けられた口座識別子を送金先口座として特定する（ステップＳ１−７）。この口座識別子に関するデータは、ＲＡＭ１２の送金先口座メモリ１２ｂに格納される。
【００６８】
そして、利用者端末１０のＣＰＵ１１は、振込確認画面５４０をディスプレイ１５に出力する（ステップＳ１−９）。ここでは、ＣＰＵ１１の振込制御部１１ｃは、ＲＡＭ１２の送金元口座メモリ１２ａに格納された送金元口座と、送金先口座メモリ１２ｂに格納された送金先口座、金額メモリ１２ｃに格納された金額を抽出し、図１７に示すように、これらのデータを含めた振込確認画面５４０を出力する。この振込確認画面５４０には、図１２と同様にテンキーパッド５４１を備える。そして、このテンキーパッド５４１を用いて金額や暗証番号を入力する。これにより、振込処理に必要な送金元口座、送金先口座、振込金額、暗証番号の入力を完了する。
【００６９】
従って、第２の実施形態によれば、第１の実施形態に記載の効果に加えて以下の効果を得ることができる。
・  上記実施形態では、表示画面５６０には、口座残高に対応させて金額単位表示５６１を出力させる。このため、金額単位表示５６１の所定領域を特定し、この領域をドラッグ＆ドロップすることにより、振込金額を所定の範囲で特定することができる。この場合、ポインタ５０５がクリックされてからリリースされるまでの面積により囲み領域５７１を変化させることが可能であり、送金金額を変更することができる。
【００７０】
（第３の実施形態）
次に、本発明を具体化した送金処理支援方法の第３の実施形態を図１８〜図２０にしたがって説明する。なお、第３の実施形態は、第１の実施形態の振込金額の特定方法を変更した構成であるため、同様の部分についてはその詳細な説明を省略する。
【００７１】
本実施形態では、図１８に示すようにＣＰＵ１１は、金額特定手段としてのオブジェクト属性抽出部１１ｄとしても機能する。このオブジェクト属性抽出部１１ｄには、クレジットカード会社を特定するために、クレジットカード会社コードデータを保持させておく。
【００７２】
具体的には、図１９に示すように、クレジットカード会社に支払を行なう場合を想定する。ここでは、クレジットカードの利用料金が「３００００円」の場合を想定する。この場合、半透明オブジェクト５２１のリリース位置が、クレジットカード会社に関するアイコンオブジェクト５０２上である場合（ステップＳ１−６において「ＹＥＳ」の場合）、このリリース位置にあるアイコンオブジェクト５０２に保持された口座識別子を送金先口座として特定する（ステップＳ１−７）。この場合には、図１８に示すように、ＣＰＵ１１は、リリース位置にあるアイコンオブジェクト５０２に保持された口座識別子に関するデータを、ＲＡＭ１２の送金先口座メモリ１２ｂに格納する。
【００７３】
更に、オブジェクト属性抽出部１１ｄは、アイコンオブジェクト５０２に基づいて利用者の債務かどうかを判定する。具体的には、オブジェクト属性抽出部１１ｄは、アイコンオブジェクト５０２に保持されたクレジットカード識別子にクレジットカード会社コードデータが含まれるかどうかを判断する。オブジェクト属性抽出部１１ｄが利用者の債務と判断した場合、オブジェクト属性抽出部１１ｄは、リリース位置にあるアイコンオブジェクト５０２に保持された金額に関するデータを、ＲＡＭ１２の金額メモリ１２ｃに格納する。そして、図２０に示すように、利用者端末１０のＣＰＵ１１は、振込確認画面６１０をディスプレイ１５に出力する（ステップＳ１−９）。ここでは、ＣＰＵ１１の振込制御部１１ｃは、ＲＡＭ１２の送金元口座メモリ１２ａに格納された送金元口座と、送金先口座メモリ１２ｂに格納された送金先口座、金額メモリ１２ｃに格納された金額に関するデ
ータを抽出し、図２０に示すように、これらのデータを含めた振込処理を行なうための振込確認画面６１０を出力する。
【００７４】
従って、第３の実施形態によれば、第１の実施形態に記載の効果に加えて以下の効果を得ることができる。
・  上記実施形態では、オブジェクト属性抽出部１１ｄは、アイコンオブジェクトの属性に基づいて債務か否かの判断を行なう。そして、債務と判断した場合には、このアイコンオブジェクトに保持された金額を送金金額に設定する。このため、送金金額を効率的に特定することができる。
【００７５】
（第４の実施形態）
次に、本発明を具体化した送金処理支援方法の第４の実施形態を図２１〜図２３にしたがって説明する。なお、第４の実施形態は、第１の実施形態の送金先のオブジェクトの特定方法を変更した構成であるため、同様の部分についてはその詳細な説明を省略する。
【００７６】
本実施形態では、図２１に示すように、オブジェクト中のデータを抽出する送金先特定手段としての送金先抽出制御部１１ｅと、金額特定手段としての金額抽出制御部１１ｆとを利用する。そして、送金先抽出制御部１１ｅは、オブジェクト内に含まれるデータの中から送金先口座と認識されるコードを特定する辞書データを備える。例えば、「Ｅ銀行」という文字が含まれる場合には銀行口座と判断する。また、７桁の数字列は口座番号と判断する。また、金額抽出制御部１１ｆは、オブジェクト内に含まれるデータの中から金額と認識される数字を特定する辞書データを備える。例えば、「円」という文字の前の数字は金額と判断する。
【００７７】
そこで、図２２に示すように、商店等との間で取引を行ない、この商店の請求者システムから振込依頼の電子メールを受けた場合を想定する。この場合、利用者端末１０のディスプレイ１５にメール画面６２１を出力させておく。このメール画面６２１は請求書表示オブジェクトとして機能する。このメール画面６２１には、図２２に示すように振込先口座と金額とに関する情報が含まれる。そして、送金元口座のアイコンオブジェクト５１０をホールドすることにより生成させた半透明オブジェクト５２１をドラッグして、このメール画面６２１上にドロップさせる。
【００７８】
ＣＰＵ１１におけるポインティングデバイス制御部１１ａのポインタ位置制御部がメール画面６２１へのドロップを検知した場合、ＣＰＵ１１の送金先抽出制御部１１ｅは、このメール画面６２１の中に表示された口座番号に相当する部分を抽出し、ＲＡＭ１２の送金先口座メモリ１２ｂに格納する。更に、ＣＰＵ１１の金額抽出制御部１１ｆは、メール画面６２１の中に表示された金額に相当する部分を検出し、ＲＡＭ１２の金額メモリ１２ｃに格納する。そして、読み込んだデータを用いて振込処理のための振込確認画面５４０をディスプレイ１５に出力する（ステップＳ１−９）。この場合には、図２３に示すような振込確認画面６３０が出力される。
【００７９】
従って、第４の実施形態によれば、第１の実施形態に記載の効果に加えて以下の効果を得ることができる。
・  上記実施形態では、ＣＰＵ１１は送金先抽出制御部１１ｅ、金額抽出制御部１１ｆとして機能する。そして、アイコンオブジェクトがドラッグされ、メール画面６２１にドロップされた場合、送金先抽出制御部１１ｅ、金額抽出制御部１１ｆがそれぞれ送金先口座、金額を抽出する。このため、送金先口座や送金金額を効率的に特定することができる。
【００８０】
なお、上記実施形態は、以下の態様に変更してもよい。
○  上記実施形態では、第１〜第４の実施形態に分けて説明したが、これらの実施形態の中で、任意の複数の実施形態を組み合わせて用いてもよい。
【００８１】
○  上記実施形態では、半透明オブジェクト５２１のリリース位置が、他の預金口座に関するアイコンオブジェクト５３１上である場合（ステップＳ１−６において「ＹＥＳ」の場合）、このリリース位置にあるアイコンオブジェクト５３１に保持された口座識別子を送金先口座として特定する（ステップＳ１−７）。この場合、送金先口座は、利用者の預金口座に限られるものではない。例えば、利用者が支払を行なう商店等に関するアイコンオブジェクト５０３において、半透明オブジェクト５２１がリリースされた場合、このアイコンオブジェクト５０３が保持する口座識別子に基づいて送金先口座を特定する。これにより、送金先口座の記録がある商店への送金が簡単にできる。例えば、過去に送金実績がある商店や、頻繁に利用する商店の半透明オブジェクト５２１を用いて、ユーザビリティを考慮した送金処理を行なうことができる。
【００８２】
○  上記実施形態では、アカウントアグリゲーションシステム２０の管理コンピュータ２１は、預金口座残高やクレジットカードの利用金額を表示するための口座情報一覧画面データを構成し、利用者端末１０に送信する。この口座情報一覧画面データには、各預金口座、クレジットカード、商店等の属性データを保持し、アイコンを表示させるためのオブジェクトデータを含める。これに代えて、ドラッグするためにアイコンオブジェクトがクリックされたり、アイコンオブジェクトにドロップされたりした場合に、利用者端末１０がアカウントアグリゲーションシステム２０に対して、このアイコンオブジェクトに関する属性情報を要求してもよい。この場合にもアイコンオブジェクトに口座識別子データを関連付けておくことになるが、口座情報一覧画面データのデータ容量を削減することができる。
【００８３】
○  上記実施形態では、利用者端末１０のＣＰＵ１１に振込制御部１１ｃとして機能させる。この振込制御部１１ｃは、各メモリ（１２ａ〜１２ｃ）に格納された送金元口座、送金先口座、金額に関するデータに基づいて口座振込処理を実行する。これに代えて、アカウントアグリゲーションシステム２０の管理コンピュータ２１に、振込制御部１１ｃとして機能させることも可能である。この場合、利用者端末１０は、各メモリ（１２ａ〜１２ｃ）に格納された送金元口座、送金先口座、金額に関するデータを、インターネットＩを介してアカウントアグリゲーションシステム２０に送信する。そして、アカウントアグリゲーションシステム２０は振込確認画面５４０を生成し、利用者端末１０に提供する。これにより、利用者端末１０のＣＰＵ１１の負荷を軽減しながらサービスを提供することができる。
【００８４】
○  上記実施形態では、請求書表示オブジェクトとして請求者システムから受信した電子メールを用いた。これに代えて、請求書表示オブジェクトとして、請求者システムから取得したブラウザ画面を用いてもよい。
【００８５】
○  上記第２の実施形態では、預金口座残高を出力する場合、表示画面５６０のように、口座残高に対応させた残高表示として金額単位表示５６１を出力させる。ここでは、５万円を超える場合には５万円単位表示、それ以下の場合には１万円単位表示を、口座残高に対応させて出力する。残高表示はこれに限られるものではなく、口座残高において、面積で残高の一部を特定できるものであればよい。例えば、口座残高に対応させた長さのバー表示を残高表示として用いてもよい。また、スクロールバーにより金額を特定させてもよい。この場合にも、金額の特定された移動可能なオブジェクトを生成し、このオブジェクトを移動させることにより送金先口座を特定する。これにより、ユーザビリティを高めながら、資金移動を行なうことができる。
【００８６】
○  上記第２の実施形態では、ステップＳ１−３において送金元口座を特定する場合には、ポインタ５０５がクリックされてからリリースされるまでの囲み領域５７１により特定する。これに代えて、シフトキーを押しながら複数の単位表示がクリックされた場合、これらの単位表示をまとめてアクティブにしてもよい。これにより、離れた位置の単位表示を選択することができる。
【００８７】
○  上記実施形態では、一つの預金口座を送金元口座として特定する。これに代えて、複数の預金口座を送金元口座として選択可能としてもよい。この場合には、選択された複数の送金元口座を送金元口座メモリ１２ａとして記録する。更に、選択された預金口座毎に振込確認画面５４０を生成して出力させる。これにより、複数の口座を用いた資金移動も効率的に行なうことができる。
【図面の簡単な説明】
【００８８】
【図１】本発明の実施形態のシステム概略図。
【図２】利用者データ記憶部に記録されたデータの説明図。
【図３】利用口座管理データ記憶部に記録されたデータの説明図。
【図４】アドレスデータ記憶部に記録されたデータの説明図。
【図５】利用者端末のシステム概略図。
【図６】利用者端末の機能ブロック説明図。
【図７】本発明の実施形態の処理手順の説明図。
【図８】本発明の実施形態の利用者端末の表示画面の説明図。
【図９】本発明の実施形態の利用者端末の表示画面の説明図。
【図１０】本発明の実施形態の利用者端末の表示画面の説明図。
【図１１】本発明の実施形態の利用者端末の表示画面の説明図。
【図１２】本発明の実施形態の利用者端末の表示画面の説明図。
【図１３】本発明の実施形態の利用者端末の表示画面の説明図。
【図１４】第２の実施形態の利用者端末の表示画面の説明図。
【図１５】第２の実施形態の利用者端末の表示画面の説明図。
【図１６】第２の実施形態の利用者端末の表示画面の説明図。
【図１７】第２の実施形態の利用者端末の表示画面の説明図。
【図１８】第３の実施形態の利用者端末の機能ブロック説明図。
【図１９】第３の実施形態の利用者端末の表示画面の説明図。
【図２０】第３の実施形態の利用者端末の表示画面の説明図。
【図２１】第４の実施形態の利用者端末の機能ブロック説明図。
【図２２】第４の実施形態の利用者端末の表示画面の説明図。
【図２３】第４の実施形態の利用者端末の表示画面の説明図。
【符号の説明】
【００８９】
１０…利用者端末、１１…ＣＰＵ、２０…アカウントアグリゲーションシステム、２１…管理コンピュータ、２２…利用者データ記憶部、２３…利用口座管理データ記憶部、２４…アドレスデータ記憶部、４０…金融機関サーボシステム、Ｉ…ネットワークとしてのインターネット。
【図１】
2006277686.tif 000003
【図２】
2006277686.tif 000004
【図３】
2006277686.tif 000005
【図４】
2006277686.tif 000006
【図５】
2006277686.tif 000007
【図６】
2006277686.tif 000008
【図７】
2006277686.tif 000009
【図８】
2006277686.tif 000010
【図９】
2006277686.tif 000011
【図１０】
2006277686.tif 000012
【図１１】
2006277686.tif 000013
【図１２】
2006277686.tif 000014
【図１３】
2006277686.tif 000015
【図１４】
2006277686.tif 000016
【図１５】
2006277686.tif 000017
【図１６】
2006277686.tif 000018
【図１７】
2006277686.tif 000019
【図１８】
2006277686.tif 000020
【図１９】
2006277686.tif 000021
【図２０】
2006277686.tif 000022
【図２１】
2006277686.tif 000023
【図２２】
2006277686.tif 000024
【図２３】
2006277686.tif 000025